(57)【特許請求の範囲】
【請求項１】
着信時に発呼側の電話番号および／またはその電話番号に対応する情報と着信時刻とを表示する表示器と、着信履歴を記憶するメモリテーブルとを備えた移動体通信端末において、
着呼から応答までに要した時間あるいは呼び出し音回数をカウントし、前記メモリテーブルの着信履歴に格納するよう指示する格納指示手段を設けたことを特徴とする移動体通信端末。
【請求項２】
着信時に発呼側の電話番号および／またはその電話番号に対応する情報と着信時刻とを表示する表示器と、着信履歴を記憶するメモリテーブルとを備えた移動体通信端末において、
着呼から応答までの経過時間あるいは呼び出し音回数に応じて定めたアイコンを前記メモリテーブルの着信履歴に格納するよう指示する格納指示手段を設けたことを特徴とする移動体通信端末。
【発明の詳細な説明】
【０００１】
【発明の属する技術分野】
本発明は移動体通信端末、より具体的にはＰＨＳ（パーソナルハンディフォンシステム）端末に有利に適応され、着信履歴から発呼者の状態を読み取ることのできる移動体通信端末に関する。
【０００２】
【従来の技術】
一般にＰＨＳ・携帯電話では、着信時に相手の電話番号やその電話番号に対応する名前などの情報と着信時間を表示する機能を有している。従って、着信時に被呼者側で応答がなかった場合には発呼者の電話番号と着信時間とを電話機内に設けたメモリテーブルに記憶する。また、ＰＨＳ・携帯電話は通常の通話の他にＰメール（文字メッセージ送受信）やベルメール（ポケベルへの文字伝送）の機能も加わり、文字メッセージやデータ通信の受信も可能である。このような情報種別毎の着信の履歴もメモリテーブルに格納される。
【０００３】
従って、着信時に受け手が電話に出なかったときには着信履歴をメモリテーブルから読み出すことにより発呼者名あるいは発信者電話番号とその着信時刻あるいは着呼のあったことを示す情報表示により確認することができる。
【０００４】
また、受け手の応答操作なしに受信することもできる文字伝送、留守番メッセージ、データ通信等は着信の履歴がメモリテーブルに格納される。
【０００５】
【発明が解決しようとする課題】
このように従来の通信端末はその通信履歴を確認することにより発呼者名あるいは発信者電話番号や着信日時等を確認することができるが、発呼者がどのような状態で電話を掛けてきたのかまでは知ることはできなかった。すなわち、発呼した相手側が急用でどうしても話したいとき長時間呼び出しを続け、その結果応答がなかったためあきらめて電話を切ってしまう場合や、あるいは、それ程急ぐ用事でもなかったので、数回の呼び出し音の後であきらめて電話を切ってしまう場合があるが、それらの状況を知ることはできなかった。
【０００６】
また、受け手側が応答操作なしに受信しうる文字伝送や留守番メッセージ等は、個々の着信の履歴を読み出して詳細に確認するまではどのような情報種別の着信があったかを確認することが困難であった。
【０００７】
本発明は、このような従来技術における問題点を解消し、発呼者の発呼要求状態が着信履歴から簡単に読み取ることができ、且つ、応答操作なしに受信した情報種別を、種別、個別の着信の履歴を確認することなく知ることができる移動体通信端末を提供することができることを目的とする。
【０００８】
【課題を解決するための手段】
本発明は、着信時に発呼側の電話番号および／またはその電話番号に対応する情報と着信時刻とを表示する表示器と、着信履歴を記憶するメモリテーブルとを備えた移動体通信端末において、着呼から応答までに要した時間あるいは呼び出し音回数をカウントし、前記メモリテーブルの着信履歴に格納するよう指示する格納指示手段を設けた移動体通信端末である。
【００１０】
さらに、本発明は、着信時に発呼側の電話番号および／またはその電話番号に対応する情報と着信時刻とを表示する表示器と、着信履歴を記憶するメモリテーブルとを備えた移動体通信端末において、着呼から応答までの経過時間あるいは呼び出し音回数に応じて定めたアイコンを前記メモリテーブルの着信履歴に格納するよう指示する格納指示手段を設けた移動体通信端末である。
【００１６】
【発明の実施の形態】
次に添付図面を参照して本発明による移動体通信端末の実施の形態を詳細に説明する。
【００１７】
図４は、本発明による移動体通信端末をＰＨＳ・携帯電話機中に適用したときの実施の形態を示す機能ブロック図である。図５は本発明の移動体通信端末のフロントパネルの状態を示す外観構成図である。
【００１８】
アンテナ１２は待ち受けゾーンに該当する公衆基地局（図示せず）とデータのやり取りを行うために、電波の輻射あるいは受信を行う。
【００１９】
このアンテナ１２にはＲＦ部１４が接続されている。ＲＦ部１４は、アンテナ１２で受信した信号を増幅及び周波数変換してベースバンド部１６に復調用信号を出力するＲＦ受信回路と、ベースバンド部１６からの音声変調信号を増幅及び周波数変換してアンテナ１２に出力する送信回路とにより構成されている。
【００２０】
ベースバンド部１６はＣＰＵ１８及びコーデック２８に接続され、このＣＰＵ１８の制御により音声信号や発信者番号を含むアンテナ１２から受信したＲＦ信号の復調を行う。ベースバンド部１６はまた、電源がＯＮ状態の待ち受け時にＲＦ受信回路に受信した公衆基地局の識別番号であるＩＤやその受信電界強度をＣＰＵ１８に通知する。
【００２１】
コーデック２８は、デジタル信号をアナログ信号に、またアナログ信号をデジタル信号に変換する変換器である。
【００２２】
すなわち、コーデック２８は、ＣＰＵ１８の制御により、ベースバンド部１６やＣＰＵ１８から入力したデジタル音声信号をアナログ音声信号に変換してスピーカ（ＳＰ）２６に出力するとともに、マイク（ＭＩＣ）２４より入力したアナログ音声信号をデジタル音声信号に変換してベースバンド部１６に出力する。
【００２３】
ＣＰＵ１８は、移動体通信端末の全体の制御を行う制御部であり、その内部にプログラム等が書き込まれた不揮発性メモリであるＲＯＭ１８ａとＲＡＭ１８ｂとに結合されている。ＲＡＭ１８ｂには、待ち受け時の基地局として選択された基地局の情報などを含む種々の情報が一時的に格納される。
【００２４】
ＣＰＵ１８には電話番号や基地局の受信電界強度、文字メッセージ等を表示する表示部２０と電話番号や文字等を入力する入力キーや電源キー、発呼処理を行う発呼キー等の各種キーにより構成されたキー入力部２２とが接続されている。
【００２５】
また、発呼側の電話番号とこの電話番号に対応する名前などの情報は電話帳としてＲＯＭ１８ａに格納されている。
【００２６】
また、着信履歴を格納するためのメモリテーブルはＲＡＭ１８ｂ内に格納されている。
【００２７】
ＲＯＭ１８ａまたはＲＡＭ１８ｂ内に格納されたデータはファンクションキー３０或いはキー入力部２２の操作により読み出して、表示部２０に表示させることができる。
【００２８】
図２は、本発明の一実施形態として着信時の呼び出し音回数や時間とそれに対応したシンボルマーク（アイコン）とを対応付けて示した図である。
【００２９】
また、情報種別に対応して定めたシンボルマークも示している。これらのマークは予めＲＯＭ１８ａに格納されている。
【００３０】
マーク１０１〜１０３は顔マークと呼ばれるもので、それぞれ呼び出し時間あるいは呼び出し音回数に応じて異なる顔マークが対応付けられる。すなわち、マーク１０１は着信があってから１５秒までの経過時間（呼び出し音回数５回以内）に対して定義される顔マークである。同様にマーク１０２は呼び出し時間が３０秒まで（呼び出し音回数６回〜１０回以内）に対応して設けられ、マーク１０３は呼び出し時間が３１秒以上を超える場合（呼び出し音回数１１回以上）に対応して定義されるものである。マーク１０４は文字メッセージ伝送（Ｐメール）の受信があったことを示すマークである。マーク１０５はＤＴＭＦ信号による（例えば、ポケットベルからの）メールの受信があったことを示すベルメールマークである。また、マーク１０６は留守番電話機能により留守番用件が録音されていることを示すマークである。また、マーク１０７はデータ通信によりデータが受信されたことを示すマークである。
【００３１】
このように呼び出し時間あるいは呼び出し音回数に対応した顔マーク１０１〜１０３や情報種別に対応したマーク１０４〜１０７がそれぞ定義されＲＯＭ１８ａに格納されている。
【００３２】
図１は、図４に示したＰＨＳ・携帯電話１０の動作を示すフローチャートである。
【００３３】
着信があると（ステップ２００）、呼び出し音が鳴り表示部２０には顔マーク１が表示される（ステップ２０１）。この顔マーク１の表示は着信時から１５秒間あるいは呼び出し音回数が５回以内のときだけ表示部２０に表示され、この１５秒以内に応答動作があれば（ステップ２０２）、この顔マーク１または応答までの経過時間あるいは呼び出し音回数がＲＡＭ１８ｂ内のメモリテーブルに格納されて記憶される（ステップ２０９）。その後は通常の応答が行われる（ステップ２１０）。
【００３４】
ステップ２０２において応答動作がなかった場合においても顔マーク１が表示されている１５秒以内あるいは呼び出し音回数が５回以内に発呼者側があきらめて電話を切断してしまうと（ステップ２０３）、ステップ２１３において顔マークまたは切断までの経過時間あるいは呼び出し音回数をメモリテーブルに記憶させる。そして、待ち受け状態となる（ステップ２１４）。
【００３５】
ステップ２０２において応答動作もなく、ステップ２０３において発呼者側からの切断動作もなかった場合にはさらに規定の呼び出し音回数、または時間を経過したか否かが判断される（ステップ２０４）。
【００３６】
ここで例えば規定の呼び出し時間を１５秒あるいは呼び出し音回数５回と設定しておけば呼び出し時間が１５秒あるいは呼び出し音回数が５回を超えた場合に表示部２０に顔マーク２が表示される（ステップ２０５）。その後応答動作が行われたか否かが判定され（ステップ２０６）、応答動作があれば顔マーク２または経過時間あるいは呼び出し音回数をメモリテーブルに記憶し（ステップ２１１）、通常応答に移行する（ステップ２１２）。
【００３７】
ステップ２０６で応答動作が行われない場合には、発呼者側からの切断動作の有無がチェックされる（ステップ２０７）。発呼者の切断動作があればステップ２１５に進み、顔マーク２と切断動作までの経過時間あるいは呼び出し音回数とをメモリテーブルに記憶する（ステップ２１５）。そして、待ち受け状態となる（ステップ２１６）。
【００３８】
発呼者側からの切断動作がなかった場合は、更に規定の呼び出し音回数或いは時間が経過したか否かが判断される（ステップ２０８）。この場合、呼び出し時間を３０秒あるいは呼び出し音回数が１０回以内と設定しておけば、３０秒あるいは１０回を超えた時点で顔マーク３が表示され、以下上述した説明と同様の動作が繰り返される。
【００３９】
ここで、例えば、顔マークは呼び出し時間が経過するに従って表情が不機嫌になるようにしておけば発呼者側がかなり長時間呼び出しを続けていた場合、発呼者による発呼要求の状態を読み取ることができる。
【００４０】
図３は、メモリテーブルに格納された着信履歴を示す図である。メモリテーブルの履歴３０１〜３０４をファンクションキー３０又はキー入力部２２を用いて読み出すことにより着信履歴が容易に確認できる。着信履歴には呼び出し時間あるいは呼び出し音回数に対応する顔マークと情報種別に対応するマークとが含まれることが本発明の特徴である。
【００４１】
発信者番号は発信者通知通話により発呼者側から送られていくる。また、発信者番号に対応する名前は電話帳機能からＲＯＭ１８ａから読み出されて表示される。着信日時は時計機能から着信時の着信日時を読み取り記録する。また、応答動作をせずに発信者から切断された場合には未読マーク（＊）が付与される。着信履歴３０１によれば発呼者は発呼後１５秒以内あるいは呼び出し音回数が５回以内に電話を切断したことを示している。従ってこの顔マークからそれ程の緊急性の高い電話ではなかったと推測することができる。尚、１５秒以内あるいは５回以内に応答動作を行った場合には未読マーク（＊）が付与されない。
【００４２】
着信履歴３０２では顔マーク３が記録されている。従って、３１秒以上あるいは１１回以上の呼び出しを行ったことがわかり相手はかなり緊急度の高い電話か、重要度の高い電話をしたがっていたことを推測することができる。
【００４３】
履歴３０３は、留守番電話が録音されていることを示す。さらに履歴３０４は、顔マーク２が表示されていることから１６秒から３０秒までの呼び出しあるいは６回から１０回以内の呼び出し音が鳴った後に切断が行われたことを知ることができる。
【００４４】
尚、上述した実施の形態では着信から切断までの経過時間に応じた顔マークを定義し、これをＲＯＭに格納しておき、着信に応じて表示部に表示したりメモリテーブルに記憶させたりしている図を示したが、この顔マークの代わりに着呼から応答までに要した時間をカウントし、これを表示格納したり、呼び出し音の回数をカウントして表示したり、格納したりするようにしても良い。
【００４５】
尚、着信履歴を確認する際に呼び出し音の回数、時間、またはそれに対応したマーク、情報種別またはそれに対応したマーク毎に検索することができる。
【００４６】
また、着信履歴を確認する際に呼び出し音の回数、時間、またはそれに対応したマークによって表示する優先順位を決定することもできる。すなわち呼び出し音の回数が多かった順に表示することもできる。更に、着信履歴に記憶される着信の種別、またはそれに対応したマークから文字伝送を表わすもの（Ｐメールやベルメール等）があった場合にこれを呼び出して発信動作を行うことにより、文字伝送の送信側に対して文字伝送で返信をすることもできる。
【００４７】
また、相手が呼び出している時間あるいは呼び出し音の回数をそれに対応するマーク表示で表現することにより、通常不愉快にもなりうる着信時のリンガー音を快いものにすることができるという効果がある。
【００４８】
【発明の効果】
以上、本発明の実施の形態に基づいて詳細に説明したように、本発明では着信時に呼び出し時間あるいは呼び出し音の回数によって、数字や時間、あるいはマークが変化するため早く着呼動作を行う意識付けとなる。
【００４９】
また、電話に出なかった時にも相手がどのくらいの時間呼び出しを行ったのかが、着信履歴から容易にわかるため、相手の緊急度合いや重要度合いを推測することができる。
【図面の簡単な説明】
【図１】本発明の電話機の動作を説明するためのフローチャート。
【図２】本発明で用いられるマークとその定義とを示す図。
【図３】本発明による着信履歴を示す図。
【図４】本発明による移動体通信端末の機能ブロック図。
【図５】本発明の移動体通信端末のフロントパネル部の構成を示す外観図。
【符号の説明】
１０：ＰＨＳ・携帯電話
１８：ＣＰＵ
１８ａ：ＲＯＭ
１８ｂ：ＲＡＭ
２０：表示部
２２：キー入力部
【図１】
0003649923.tif 000002
【図２】
0003649923.tif 000003
【図３】
0003649923.tif 000004
【図４】
0003649923.tif 000005
【図５】
0003649923.tif 000006